(57)【要約】      （修正有）【課題】コンクリートパネルのセパレータの挿通穴からコンクリートが漏れ出さないとともに錆の発生がなく、建造物の使用しなかったセパレータ挿通穴部分の仕上がりを良好にするセパレータ挿通穴閉塞具を提供する。【解決手段】全体がプラスチックの連続一体品であり、コンクリートパネル２０のセパレータ挿通穴２２の内面側に配置されセパレータ挿通穴２２を塞ぐ面体７と、面体７の裏面に突設されセパレータ挿通穴２２内に挿入される複数本の取り付け脚体９とよりなり、取り付け脚体９それぞれが外方に弾力的に開き、それらの基部１５の外面側それぞれがセパレータ挿通穴２２の縁部２５を押圧して面体７をコンクリートパネル２０の内面に密着させる。【選択図】図４
0003158103.tif 000002
【実用新案登録請求の範囲】
【請求項１】
全体がプラスチックの連続一体品であり、コンクリートパネルのセパレータ挿通穴の内面側に配置されセパレータ挿通穴を塞ぐ面体と、前記面体の裏面に突設され前記セパレータ挿通穴内に挿入される複数本の取り付け脚体とよりなり、
前記取り付け脚体それぞれが外方に弾力的に開き、それらの基部の外面側それぞれが前記セパレータ挿通穴の縁部を押圧して前記面体を前記コンクリートパネルの内面に密着させるセパレータ挿通穴閉塞具。
【請求項２】
前記面体が薄い円形体で、表面が中央が高い湾曲面であるとともに、周縁が先端にいくほど細くなって尖鋭縁とされてなる請求項１記載のセパレータ挿通穴閉塞具。
【請求項３】
前記面体の裏面の中央に扁平の台部が備えられ、前記取り付け脚体それぞれがその台部面上の周囲位置それぞれから突設されなる請求項１または２記載のセパレータ挿通穴閉塞具。
【考案の詳細な説明】
【技術分野】
【０００１】  この考案は、この考案はコンクリートパネルのセパレータ挿通穴の閉塞具に関する。
【背景技術】
【０００２】  コンクリート建造物を建造は、一対のコンクリートパネルを立設固定するとともにその間に鉄筋を配置し、さらにコンクリートを流し込んで養生固化することで行う。上記のコンクリートパネルの立設固定はコンクリートパネルそれぞれをセパレータで互いに連結することで行なわれ、したがってコンクリートパネルにはセパレータの挿通穴が予め所定位置に設けられている。このセパレータの挿通穴は、鉄筋の配置変更や位置づれ等があった場合には使われなくなることがあり、その場合にはコンクリートの漏れ出しがないように現場において閉ざす必要がある。従来においてそのセパレータの挿通穴を閉ざすには、金属製の閉塞具が使用されていた。
【考案の概要】
【考案が解決しようとする課題】
【０００３】  しかしながらそのような金属製の閉塞具を用いた場合、取り付けがガタつく状態となって安定しないことでコンクリートパネルとの密着性が悪く隙間からコンクリートの漏れ出しが生じ、また、金属製であることで錆が発生することがあり、その結果、コンクリートパネルを除去した際の建造物におけるその部分の仕上がりが見栄え悪くなることがあった。【０００４】  この考案は上記の点に鑑みて行ったもので、コンクリートパネルのセパレータの挿通穴からのコンクリートの漏れ出しないとともに錆の発生がなく、建造物の使用しなかったセパレータ挿通穴部分の仕上がりを良好とできるようにすることを目的とする。
【課題を解決するための手段】
【０００５】  この考案では、全体がプラスチックの連続一体品であり、コンクリートパネルのセパレータ挿通穴の内面側に配置されセパレータ挿通穴を塞ぐ面体と、前記面体の裏面に突設され前記セパレータ挿通穴内に挿入される複数本の取り付け脚体とよりなり、前記取り付け脚体それぞれが外方に弾力的に開き、それらの基部の外面側それぞれが前記セパレータ挿通穴の縁部を押圧して前記面体を前記コンクリートパネルの内面に密着させるセパレータ挿通穴閉塞具を提供する。【０００６】  上記構成によれば、セパレータ挿通穴内に差し入れられた取り付け脚体それぞれが弾力的に開くことでそれらの基部の外面側それぞれがセパレータ挿通穴の縁部を押圧する。これによりプラスチックス製である面体の背面がコンクリートパネルの内面に密着され、セパレータ挿通穴閉塞具は安定した状態にコンクリートパネルの内面にセパレータ挿通穴を塞ぐ状態に取り付けられる。その結果、セパレータ挿通穴からのコンクリートの漏れ出しが防止される。また、セパレータ挿通穴閉塞具がプラスチックス製であることで錆の発生の恐れもない。【０００７】  とくに、面体が薄い円形体で、表面が中央が高い湾曲面であるとともに、周縁が先端にいくほど細くなって尖鋭縁とされてなる構成とされることで、コンクリートパネルの養生固化後に建造物からセパレータ挿通穴閉塞具を外した際、その取り付け跡が目立つことがない。【０００８】  さらに、面体の裏面の中央に扁平の台部が備えられ、取り付け脚体それぞれがその台部面上の周囲位置それぞれから突設する構成とされることで、取り付け脚体の基部の外面側のより低い位置においてセパレータ挿通穴の縁部を押圧し、その押圧が強固に安定して行われる。【０００９】    セパレータ挿通穴閉塞具のプラスチックス材料としては、シリコン樹脂等の剛性を持つとともに弾力性を有し、かつ、表面密着性に優れるものが好適に用いられる。また、取り付け脚体の数は３〜４本が好適である。
【考案の効果】
【００１０】  この考案のセパレータ挿通穴閉塞具を使用することで、コンクリートパネルのセパレータの挿通穴からのコンクリートの漏れ出しないとともに錆の発生がなくなり、建造物の使用しなかったセパレータ挿通穴部分の仕上がりを良好とできるようになる。
【図面の簡単な説明】
【００１１】
【図１】  この考案のセパレータ挿通穴閉塞具の実施形態の正面図
【図２】  この考案のセパレータ挿通穴閉塞具の実施形態の側面図
【図３】  この考案のセパレータ挿通穴閉塞具の実施形態の背面側斜視図
【図４】  この考案のセパレータ挿通穴閉塞具の実施形態の使用状態を示す断面図
【図５】  この考案のセパレータ挿通穴閉塞具の他の実施形態の使用状態を示す断面図
【考案を実施するための形態】
【００１２】  図１はこの考案のセパレータ挿通穴閉塞具の正面図、図２は同側面図、図３は同背面側斜視図である。セパレータ挿通穴閉塞具１はプラスチックの連続一体品であり、薄い円形体よりなり表面３が中央が高い湾曲面とされ周縁５が尖鋭縁とされた面体７と、面体７の裏面に突設される３本の取り付け脚体９とよりなる。面体７の裏面には円形で扁平の台部１０が設けられ、その台部１０面上の周囲位置の３箇所から取り付け脚体９それぞれが互いが等間隔となるように、外方に弾力的に開く状態に設けられている。上記面体７は、例えば、直径が２８ｍｍ程度のものにおいて中央部分の厚さが０．７５ｍｍ程度とされ、全体が薄く、かつ、周縁５がその先端にいくほど細くなる尖鋭縁となっている。取り付け脚体９の長さは１２．５ｍｍ程度、その厚さは１．５ｍｍ程度とされ、その開き角度を１１０度程度とする。
【００１３】  図４は上記セパレータ挿通穴閉塞具１の使用状態を示し、２本の取り付け脚体９の位置での断面を示す。コンクリートパネル２０のセパレータ挿通穴２２への取り付けは、取り付け脚体９それぞれを互いが近接するように弾力に抗して閉じた状態としてセパレータ挿通穴２２内に差し入れて行う。差し入れられた取り付け脚体９それぞれは弾力的に開こうとする（本来の形態を点線で示す）ことでそれらの基部１５の外面側それぞれがセパレータ挿通穴２２の縁部２５を押圧し、これにより面体７の背面２６がコンクリートパネル２０の内面に密着され、セパレータ挿通穴閉塞具１は安定した状態にコンクリートパネル２０の内面にセパレータ挿通穴２２を塞ぐ状態に取り付けられる。
【００１４】  この状態において相対するコンクリートパネル２０間にコンクリートが流し込まれ、その際セパレータ挿通穴２２がセパレータ挿通穴閉塞具１により塞がれていることでコンクリートのその部分からの流れ出しが防止される。取り付け脚体９それぞれが面体７の裏面に直接設けられることなく扁平の台部１０面上に設けられていることで、取り付け脚体９の基部１５の外面側のより低い位置においてセパレータ挿通穴２２の縁部２５を押圧するので、その押圧が強固に安定して行われ、したがって、面体７の背面のコンクリートパネル２０の内面への密着度合いが高くなり、コンクリートの漏れ出しが確実に防止される。
【００１５】  コンクリートの養生固化後にコンクリートパネル２０が取り外される際にセパレータ挿通穴閉塞具１もコンクリート建造物面から取り外される。その際面板７の跡がコンクリート建造物面に凹み状態に残るが、面板７の全体が薄く、かつ、周縁５がその先端にいくほど細くなる尖鋭縁とされていることで、ほとんど目に付くことはない。また、セパレータ挿通穴閉塞具１はプラスチックス製であり錆が発生することがなく、このようにして、建造物面の仕上がりが良好なものとなる。
【００１６】  同様のセパレータ挿通穴閉塞具１を使用する場合において、コンクリートパネル２０のセパレータ挿通穴２２が若干大きい場合には、図５に示すように、ゴム製のＯリング３０を使用することで、上記と同様にセパレータ挿通穴閉塞具１は安定した状態にコンクリートパネル２０の内面にセパレータ挿通穴２２を塞ぐ状態に取り付けられる。
【符号の説明】
【００１７】１    セパレータ挿通穴閉塞具
７    面体
９    取り付け脚体
１５  基部
２０  コンクリートパネル
２２  セパレータ挿通穴
２５  縁部
【図１】
0003158103.tif 000003
【図２】
0003158103.tif 000004
【図３】
0003158103.tif 000005
【図４】
0003158103.tif 000006
【図５】
0003158103.tif 000007